(57)【特許請求の範囲】
【請求項１】
壁に設けられた壁貫通孔に挿通される挿通管部と、
該挿通管部の外周面から放射状に延出する複数の固定アームと、
前記挿通管部に連通し、前記固定アームを挟んで挿通管部の反対側に突出し、他の配管部材がファスナクリップを介して水密接続される連結部と
を有する金属材料からなる継手本体部材を備え、
前記固定アームは、前記挿通管部を壁貫通孔に挿通した状態で、挿通管部挿入側の壁貫通孔の周囲壁面に当接するとともに前記挿通管部の管軸直交面に一致する固着面と、壁面への固定具挿通孔とを備えることを特徴とする給水・給湯配管用の管継手。
【請求項２】
十文字状をなすように４つの固定アームを備えている請求項１に記載の管継手。
【請求項３】
前記継手本体部材と、この継手本体部材の前記連結部にファスナクリップを介して回転自在に水密接続されるエルボ部材とを備える請求項１または請求項２に記載の管継手。
【発明の詳細な説明】
【技術分野】
【０００１】
本発明は、壁貫通部に用いられる給水・給湯配管用の管継手に関する。
【背景技術】
【０００２】
戸建て住宅等では、屋外の壁面に沿って給湯器が取り付けられ、この給湯器から供給される温水の配管工法としては、床下等に配置された配管ヘッダーによって分岐されて架橋ポリエチレンや架橋ポリブテン製の配管を介して浴室、洗面室、台所等の水栓へ送られるヘッダー工法、あるいは、給湯器から直接分岐部で継手を介して浴室、洗面室、台所等の水栓へ送られる先分岐工法が多く採用されている。
ところで、ヘッダー工法、あるいは、先分岐工法では、配管が建物の壁を貫通する部分に、媒介継手とも称される管継手が用いられ、この管継手を介して壁内の配管と水栓とが連結されるようになっている。
【０００３】
このような管継手として、図１１及び図１２に示すような管継手１００が一般的に使用されている（特許文献１参照）。
すなわち、この管継手１００は、壁貫通孔２１０に挿通される直管状の挿通管部１１０と、エルボ部１２０とを備え、エルボ部１２０の曲がり部外側に挿通管部１１０の管軸に平行な固着面１３１を有する固定部（止め座）１３０が設けられている。
【０００４】
そして、この管継手１００は、図１２に示すように、壁２００に設けられた壁貫通孔２１０に挿通管部１１０を挿通するとともに、壁貫通孔２１０の上側の壁面に当て木３００を取り付けて、この当て木３００に固定部１３０の固着面１３１を沿わせ、固定部１３０を固定ビス（図示せず）によって当て木３００に固定することによって、壁貫通孔２１０に挿通管部１１０を挿通して位置決めされた状態で固定できるようになっている。
【０００５】
また、下流側の下流受口、及びこの下流受口に対し９０°方向に開口した上流側の上流受口を備えた継手本体と、この継手本体に設けられ、前記下流受口の軸方向に対する径方向と平行で被取付面に対して前記継手本体における前記下流受口と対向した側が取り付け可能な取付面を有する止め座と、この止め座に設けられ、前記上流受口と対向する側の前記止め座の一辺にて形成され、前記下流受口の中心軸を通過しかつこの下流受口及び前記上流受口それぞれの軸方向に対する径方向である横方向を表示する横方向表示部と、前記継手本体の屈曲方向に対する外径方向に向けてこの継手本体に突設されたリブ部にて形成され、前記下流受口の中心軸を通過する前記上流受口の軸方向である縦方向を表示する縦方向表示部とを具備していることを特徴とした止め座付継手も提案されている（特許文献２参照）。
【０００６】
すなわち、この止め座付継手は、継手本体を取り付けたい取付面上の継手本体の下流受口の中心軸が通過する位置に中心点を印し、この中心点を通過する水平線及び垂直線を被取付面上に罫書く。次いで、この水平線に止め座の横方向表示部を合わせるとともに、この垂直線に継手本体の縦方向表示部を合わせた状態で、止め座の取付面を被取付面に取り付けることにより、継手本体における下流受口に対向した側が被取付面に取り付けられる。このとき、継手本体の下流受口の中心軸が、被取付面上の水平線と垂直線との交点に一致する。よって、被取付面に取り付ける際における下流受口の中心軸の正確な位置合わせが容易になるという上記の管継手１００にない効果を備えている。
【０００７】
しかしながら、上記管継手１００及び止め座付継手の場合、当て木などを設けなければ取り付けることができず、作業工数が煩雑であるとともに、当て木の取り付け精度がわるいと、壁に垂直に配管を通すことができない。
【０００８】
【特許文献１】意匠登録第１２０５１０７号公報
【特許文献２】特許第３５０２８１６号公報
【発明の開示】
【発明が解決しようとする課題】
【０００９】
本発明は、上記事情に鑑みて、精度よく、かつ、作業性よく壁面の所定位置に固定することができる給水・給湯配管用の管継手を提供することを目的としている。
【課題を解決するための手段】
【００１０】
上記目的を達成するために、本発明にかかる給水・給湯配管用の管継手（以下、「管継手」とのみ記す）は、壁に設けられた壁貫通孔に挿通される挿通管部と、該挿通管部の外周面から放射状に延出する複数の固定アームと、前記挿通管部に連通し、前記固定アームを挟んで挿通管部の反対側に突出し、他の配管部材がファスナクリップを介して水密接続される連結部とを有する金属材料からなる継手本体部材を備え、前記固定アームは、前記挿通管部を壁貫通孔に挿通した状態で、挿通管部挿入側の壁貫通孔の周囲壁面に当接するとともに前記挿通管部の管軸直交面に一致する固着面と、壁面への固定具挿通孔とを備えることを特徴としている。
【００１１】
本発明において、固定アームの数は、２つ以上であれば特に限定されず、等間隔でなくても構わないが、取り付け性を考慮すると、十文字状に４つの固定アームを備えているものが好ましい。
本発明の管継手は、例えば、挿通管部、固定アーム及びファスナ接続部を備えた金属材料性の継手本体部材と、この継手本体部材の前記ファスナ接続部にファスナクリップを介して回転自在に水密接続されるエルボ部材とを備える構成としてもよい。
【００１２】
本発明の管継手の用途としては、特に限定されないが、例えば、建物外に設けられた給湯器と、建物内の配管ヘッダーや給湯栓、壁内の水道管と、ベランダ水栓等を接続するのに用いることができる。
【発明の効果】
【００１３】
以上のように、本発明にかかる管継手は、壁に設けられた壁貫通孔に挿通される挿通管部と、該挿通管部の外周面から放射状に延出する複数の固定アームと、前記挿通管部に連通し、前記固定アームを挟んで挿通管部の反対側に突出し、他の配管部材がファスナクリップを介して水密接続される連結部とを有する金属材料からなる継手本体部材を備え、前記固定アームは、前記挿通管部を壁貫通孔に挿通した状態で、挿通管部挿入側の壁貫通孔の周囲壁面に当接するとともに前記挿通管部の管軸直交面に一致する固着面と、壁面への固定具挿通孔とを備えるので、建物の内壁面にビス等の固定具を用いて直接固定することができ、当て木などを取り付ける手間が不要で、取付作業性に優れている。
そして、固定アームの隙間から壁貫通孔を覗くことができ、目視で位置を確認して固定ができる。より精度よく取り付けることができるようになる。
【発明を実施するための最良の形態】
【００１４】
以下に、本発明を、その実施の形態をあらわす図面を参照しつつ詳しく説明する
図１は、本発明にかかる管継手の第１の実施の形態を表している。
【００１５】
図１に示すように、この管継手１ａは、継手本体部材２ａと、エルボ部材３ａと、ファスナクリップ４とを備えている。
継手本体部材２ａは、真鍮、砲金、銅等の金属材料から形成されていて、図１、図２及び図６に示すように、挿通管部２１と、エルボ連結部２２と、４つの固定アーム２３と、を備えている。
【００１６】
挿通管部２１は、直管状になっていて、一端に雌ねじ筒部２４を有し、他端がエルボ連結部２２に連通している。
エルボ連結部２２は、挿通管部２１と同内径で挿通管部２１の管軸と一致する管軸を有する少し小径の直管状になっていて、開口端部の外周面に後述するファスナクリップ４の係止溝２５が穿設されている。
【００１７】
４つの固定アーム２３は、エルボ連結部２２の挿通管部２１側の端部の外壁面から挿通管部２１の中心軸を中心として十文字をなすように放射状に延出するように設けられている。
そして、各固定アーム２３は、それぞれ固定具挿通孔２３ａを有し、壁５への固着面２３ｂが挿通管部２１の管軸直交面に一致するように設けられている。すなわち、４つの固定アーム２３の固着面２３ｂが同一面上に位置するようになっている。
【００１８】
エルボ部材３ａは、図１及び図３に示すように、９０°に曲がるエルボ本体部３１と、このエルボ本体部３１の一端に設けられたワンタッチ継手部３２と、エルボ本体部３１の他端に設けられたノズル接続部３３とを備えている。
エルボ本体部３１は、ノズル接続部３３側の端縁に沿ってファスナクリップ４の係止溝３４を形成する２条の環状の鍔３５、３６を備えている。
【００１９】
ワンタッチ継手部３２は、例えば、積水化学工業（株）製の商品名エスロカチットと同じ構造をしていて、架橋ポリエチレン管や樹脂金属複合管等の接続管の管端部を挿入するだけで接続管が止水状態で接続されるようになっている。
ノズル接続部３３は、その外径が継手本体部材２ａのエルボ連結部２２の内径と略同じになっていて、Ｏリング３７、３７が外嵌されている。
【００２０】
ファスナクリップ４は、図４に示す合成樹脂製のはずれ止め部材４１と、図５に示すステンレス鋼などの金属材料からなるクリップ本体４２とから構成されている。
クリップ本体４２は、スリット４２ａを備え、スリット４２ａの両側縁部４２ｂの幅が係止溝２５に嵌り込む幅に形成されている。また、スリット４２ａは、その幅が、鍔３５の幅と、エルボ連結部２２の端面から係止溝２５までの幅との合計と略同じか少し大きく形成されている。
なお、図４中、４１ａはクリップ本体４２の係止爪、４１ｂは係止溝２５への係合突起である。
【００２１】
そして、この管継手１ａは、例えば、図１及び図６に示すように、壁５に挿通管部２１より大径の壁貫通孔５２を穿設するとともに、図６に２点鎖線で示すように、壁貫通孔５２の中心をとおり直交する２つの線Ｌを壁面５１に鉛筆等で墨つけしたのち、図６に示すように、挿通管部２１を壁５の一方から他方に向かって挿入し、４つの固定アーム２３の固定具挿通孔２３ａがそれぞれこの線Ｌを臨むように、固着面２３ｂを壁面５１に密着させ、図１に示すように、各固定具挿通孔２３ａを介して固定具である固定ビス７を壁５に螺合し、継手本体部材２ａを壁５に固定する。
【００２２】
つぎに、エルボ部材３ａのノズル接続部３３を、鍔３５が継手本体部材２ａの端面に当接するまで、継手本体部材２ａのエルボ連結部２２内に挿入する。
その後、クリップ本体４２を、鍔３５及びエルボ連結部２２の端面から係止溝２５までの部分がスリット４２ａ内に臨むように、継手本体部材２ａとエルボ部材３ａとの連結部に外嵌させたのち、はずれ止め部材４１を、係合突起４１ｂがエルボ連結部２２の係止溝２５内に入りこむとともに、クリップ本体４２の両開放端４２ｃがそれぞれ係止爪４１ａに係止されるように装着し、ファスナクリップ４によって、エルボ部材３ａを回転自在に水密接続する。
【００２３】
なお、エルボ部材３ａ側の壁面に沿っては、必要に応じてグラスウールなどの断熱材や石膏ボードなどの耐火材等を配設する場合もある。
そして、ワンタッチ継手部３２には、給水・給湯管が接続され、雌ねじ筒部２４には、水栓が接続される。
【００２４】
この管継手１ａは、上記のようになっているので、以下のような優れた効果を備えている。
（１）固定アーム２３を備えているので、壁５に直接固定することができ、当て木などが不要で固定作業が簡素化できる。
（２）４つの固定アーム２３が十文字状に配列されているので、位置決めが容易である。
（３）壁貫通孔５２より挿通管部２１を小径とすれば、固定アーム２３の隙間から壁貫通孔５２を覗くことができ、目視で位置を確認して固定ができる。
（４）継手本体部材２ａとエルボ部材３ａとがファスナクリップ４を介して回転自在に連結固定されるようになっているので、エルボ部材３ａの角度を自由に調整することができ、管継手１ａを壁５に固定後及び断熱仕上げ後でも、配管方向が選択可能である。
【００２５】
図７及び図８は、参考例の管継手をあらわしている。
図７及び図８に示すように、この管継手１ｂは、エルボ部３ｂ、継手本体部２ｂ及び４つの固定アーム２３が一体成形され、４つの固定アーム２３によって形成される十文字がエルボ部３ｂの曲がり方向に対して４５°ずれて設けられている以外は、上記管継手１ａと同様になっている。
すなわち、この管継手１ｂは、エルボ部３ｂ、継手本体部材２ｂ及び４つの固定アーム２３が一体成形されているので、部品点数が少なく低コストで製造できる。
また、４つの固定アーム２３によって形成される十文字がエルボ部３ｂの曲がり方向に対して４５°ずれて設けられているので、エルボ部材が固定ビス７の螺合の際に邪魔になることがない。
【００２６】
図９は、本発明にかかる管継手の第２の実施の形態をあらわしている。
図９に示すように、この管継手１ｃは、３つの固定アーム２３が放射状に等間隔で設けられている以外は、上記の管継手１ａと同様になっている。
【００２７】
図１０は、本発明にかかる管継手の第３の実施の形態をあらわしている。
図１０に示すように、この管継手１ｄは、３つの固定アーム２３が等間隔ではなく、Ｔ字形をなすように設けられている以外は、上記の管継手１ｃと同様になっている。
【００２８】
本発明の管継手は、上記の実施の形態に限定されない。例えば、上記の管継手１ａ，１ｃ，１ｄの場合、ノズル接続部３３がエルボ部材３ａ側に設けられていたが、継手本体部材２ａ側に設けられていても構わない。
上記の実施の形態では、挿通管部２１に雌ねじ筒部２４が設けられていたが、雄ねじ筒部でも構わない。
上記の実施の形態では、９０°エルボ型になっていたが、直管型でも、４５°エルボ型でも構わない。
【図面の簡単な説明】
【００２９】
【図１】本発明にかかる管継手の第１の実施の形態であって、その壁への取り付け状態をしめす側面半断面図である。
【図２】図１の管継手の継手本体部材の側面図である。
【図３】図１の管継手のエルボ部材の側面半断面図である。
【図４】図１の管継手のファスナクリップの一部を構成するはずれ止め部材の説明図であって、同図（ａ）は正面面図、同図（ｂ）は底面図、同図（ｃ）は底面左側面図、同図（ｄ）は同図（ｂ）のＸ−Ｘ線断面図、同図（ｅ）は同図（ｂ）のＹ−Ｙ線断面図、同図（ｆ）は同図（ｂ）のＺ−Ｚ線断面図である。
【図５】図１の管継手のファスナクリップの残部を構成するクリップ本体の斜視図である。
【図６】図２の継手本体部材の壁への取り付け状態を説明する正面図である。
【図７】参考例の管継手の側面半断面図である。
【図８】図７の管継手の正面図である。
【図９】本発明にかかる管継手の第２の実施の形態であって、その継手本体部材の正面図である。
【図１０】本発明にかかる管継手の第３の実施の形態であって、その継手本体部材の正面図である。
【図１１】従来の管継手の側面半断面図である。
【図１２】図１１の管継手の取付状態の１例を説明する図である。
【符号の説明】
【００３０】
１ａ，１ｂ，１ｃ，１ｄ 管継手
２ａ 継手本体部材
２ｂ 継手本体部
２１ 挿通管部
２２ エルボ連結部
２３ 固定アーム
２３ａ 固定具挿通孔
２３ｂ 固着面
２４ 雌ねじ筒部
２５ 係止溝
３ａ エルボ部材
３ｂ エルボ部
３１ エルボ本体
３２ ワンタッチ継手部
３３ ノズル接続部
３４ 係止溝
３５，３６ 鍔
３７ Ｏリング
４ ファスナクリップ
４１ はずれ止め部材
４１ａ 係止爪
４１ｂ 係合突起
４２ クリップ本体
４２ａ スリット
４２ｂ 側縁部
４２ｃ 開放端
５ 壁
５１ 壁面
５２ 壁貫通孔
７ 固定ビス（固定具）
【図１】
0005209372.tif 000002
【図２】
0005209372.tif 000003
【図３】
0005209372.tif 000004
【図４】
0005209372.tif 000005
【図５】
0005209372.tif 000006
【図６】
0005209372.tif 000007
【図７】
0005209372.tif 000008
【図８】
0005209372.tif 000009
【図９】
0005209372.tif 000010
【図１０】
0005209372.tif 000011
【図１１】
0005209372.tif 000012
【図１２】
0005209372.tif 000013